(57)【要約】【課題】  複数の電子機器と周辺機器との接続を自動で切替えることができる切替装置を得る。【解決手段】  本発明による切替装置１００は、複数の電子機器からの映像信号の一つを選択的に表示装置に表示させる切替装置である。そして、本発明による切替装置１００は、複数の電子機器のいずれかから映像信号が入力されると、複数の電子機器のうち当該映像信号を出力する電子機器と周辺機器を選択的に接続する切替制御部１０１を含むことを特徴とする。【選択図】      図１
2011100231.tif 000002
【特許請求の範囲】
【請求項１】
複数の電子機器からの映像信号の一つを選択的に表示装置に表示させる切替装置であって、
前記複数の電子機器のいずれかから映像信号が入力されると、前記複数の電子機器のうち前記映像信号を出力する電子機器と周辺機器を選択的に接続する切替制御手段を含むことを特徴とする切替装置。
【請求項２】
前記切替制御手段は、前記周辺機器と選択的に接続されている前記電子機器からの映像信号の入力が断となると、前記複数の電子機器のうち映像信号を出力している電子機器の中の一つと前記周辺機器を選択的に接続することを特徴とする請求項１記載の切替装置。
【請求項３】
前記複数の電子機器の中の一つと前記周辺機器を選択的に接続する前記切替制御手段の選択動作の履歴を記憶する記憶手段を更に含み、
前記切替制御手段は、前記周辺機器と選択的に接続されている前記電子機器からの映像信号の入力が断となると、前記履歴を基に前記周辺機器と接続する電子機器を選択することを特徴とする請求項２記載の切替装置。
【請求項４】
前記切替制御手段は、前記周辺機器と選択的に接続される前記電子機器からの映像信号を前記表示装置に表示させるべく選択することを特徴とする請求項１〜３いずれか記載の切替装置。
【請求項５】
請求項１〜４いずれか記載の切替装置を含むことを特徴とする表示装置。
【請求項６】
複数の電子機器からの映像信号の一つを選択的に表示装置に表示させる切替装置の動作制御方法であって、
前記複数の電子機器のいずれかから映像信号が入力されると、前記複数の電子機器のうち前記映像信号を出力する電子機器と周辺機器を選択的に接続する切替制御ステップを含むことを特徴とする動作制御方法。
【請求項７】
前記切替制御ステップは、前記周辺機器と選択的に接続されている前記電子機器からの映像信号の入力が断となると、前記複数の電子機器のうち映像信号を出力している電子機器の中の一つと前記周辺機器を選択的に接続することを特徴とする請求項６記載の動作制御方法。
【請求項８】
前記切替制御ステップは、前記周辺機器と選択的に接続されている前記電子機器からの映像信号の入力が断となると、前記複数の電子機器の中の一つと前記周辺機器を選択的に接続する前記切替制御ステップの選択動作の履歴を記憶する記憶手段の前記履歴を基に前記周辺機器と接続する電子機器を選択することを特徴とする請求項７記載の動作制御方法。
【請求項９】
前記切替制御ステップは、前記周辺機器と選択的に接続される前記電子機器からの映像信号を前記表示装置に表示させるべく選択することを特徴とする請求項６〜８いずれか記載の動作制御方法。
【請求項１０】
複数の電子機器からの映像信号の一つを選択的に表示装置に表示させる切替装置の動作制御方法をコンピュータに実行せしめるプログラムであって、
前記複数の電子機器のいずれかから映像信号が入力されると、前記複数の電子機器のうち前記映像信号を出力する電子機器と周辺機器を選択的に接続する処理を実行することを特徴とするプログラム。
【発明の詳細な説明】
【技術分野】
【０００１】
本発明は切替装置、表示装置、動作制御方法及びプログラムに関し、特に複数の電子機器からの映像信号の一つを選択的に表示装置に表示させる切替装置に関する。
【背景技術】
【０００２】
１台の表示装置に複数台のパーソナルコンピュータ（ＰＣ）を接続して使用する場合、それぞれのＰＣに対応してキーボード、マウス等の操作機器が必要となり、設置場所が必要となるばかりでなく、どの操作機器がどのＰＣに接続されているかの判別が煩雑で操作性に問題があった。
【０００３】
このような問題を解決するために、例えば特許文献１及び２には、切替装置または切替器を用いて複数台のＰＣのうち使用者が操作するＰＣに操作機器を含む１組の周辺機器を接続させる方法が提案されている。また、特許文献３には、ＰＣの映像と周辺機器をキーボード操作により切替える方法が提案されている。
【先行技術文献】
【特許文献】
【０００４】
【特許文献１】特開２００１−４３１７８号公報
【特許文献２】特開２００４−３４１６９２号公報
【特許文献３】特開２０００−２４２３７７号公報
【発明の概要】
【発明が解決しようとする課題】
【０００５】
しかしながら、特許文献１〜３に開示の方法では、使用者はどのＰＣと周辺機器を接続するか意識して、使用者自身が切替装置の切替操作を行わなければならない。
【０００６】
本発明の目的は、上述した課題を解決し、複数の電子機器と周辺機器との接続を自動で切替えることができる切替装置、表示装置、動作制御方法及びプログラムを提供することにある。
【課題を解決するための手段】
【０００７】
本発明による切替装置は、複数の電子機器からの映像信号の一つを選択的に表示装置に表示させる切替装置であって、前記複数の電子機器のいずれかから映像信号が入力されると、前記複数の電子機器のうち前記映像信号を出力する電子機器と周辺機器を選択的に接続する切替制御手段を含むことを特徴とする。
【０００８】
本発明による表示装置は、前記切替装置を含むことを特徴とする。
【０００９】
本発明による動作制御方法は、複数の電子機器からの映像信号の一つを選択的に表示装置に表示させる切替装置の動作制御方法であって、前記複数の電子機器のいずれかから映像信号が入力されると、前記複数の電子機器のうち前記映像信号を出力する電子機器と周辺機器を選択的に接続する切替制御ステップを含むことを特徴とする。
【００１０】
本発明によるプログラムは、複数の電子機器からの映像信号の一つを選択的に表示装置に表示させる切替装置の動作制御方法をコンピュータに実行せしめるプログラムであって、前記複数の電子機器のいずれかから映像信号が入力されると、前記複数の電子機器のうち前記映像信号を出力する電子機器と周辺機器を選択的に接続する処理を実行することを特徴とする。
【発明の効果】
【００１１】
本発明によれば、複数の電子機器と周辺機器との接続を自動で切替えることができるという効果が得られる。
【図面の簡単な説明】
【００１２】
【図１】本発明の原理を説明するための切替装置の概略構成を示す図である。
【図２】本発明の第１の実施の形態による表示装置の構成を示す図である。
【図３】本発明の第１の実施の形態による表示装置の動作を示すフローチャートである。
【図４】本発明の第２の実施の形態による表示装置の構成を示す図である。
【図５】本発明の第２の実施の形態による表示装置の動作を示すフローチャートである。
【図６】図４の画像処理ＭＰＵ内のメモリに格納される切替履歴情報の例を示す図である。
【図７】図４の画像処理ＭＰＵ内のメモリに格納される切替履歴情報の例を示す図である。
【図８】図４の画像処理ＭＰＵ内のメモリに格納される切替履歴情報の例を示す図である。
【発明を実施するための形態】
【００１３】
本発明の実施の形態について説明する前に、本発明の理解を助けるために、本発明の原理について図面を参照して説明する。図１は本発明の原理を説明するための切替装置の概略構成を示す図である。
【００１４】
図１に示した切替装置１００は、複数の電子機器からの映像信号の一つを選択的に表示装置に表示させる切替装置であって、複数の電子機器のいずれかから映像信号が入力されると、複数の電子機器のうち当該映像信号を出力する電子機器と周辺機器を選択的に接続する切替制御部１０１を含む。
【００１５】
このように、切替制御部１０１は、映像信号が入力されると、当該映像信号の出力を開始した電子機器と周辺機器を選択的に接続するようにしているので、複数の電子機器と周辺機器との接続を自動で切替えることができる。
【００１６】
以下、本発明の実施の形態について図面を参照して説明する。
【００１７】
図２は本発明の第１の実施の形態による表示装置の構成を示す図である。図２において、本発明の第１の実施の形態による表示装置３１は、液晶パネル３２と、画像処理ＭＰＵ（Ｍｉｃｒｏ  Ｐｒｏｃｅｓｓｉｎｇ  Ｕｎｉｔ）３３と、ＵＳＢ（Ｕｎｉｖｅｒｓａｌ  Ｓｅｒｉａｌ  Ｂｕｓ）ハブ３６と、切替スイッチ３７と、切替ボタン３８と、画像入力端子４１及び４３と、ＵＳＢ端子４２及び４４〜４６とを含む。
【００１８】
パーソナルコンピュータ（ＰＣ）１１は、映像信号ケーブル１２により表示装置３１の画像入力端子４１と接続され、ＵＳＢケーブル１３によりＵＳＢ端子４２と接続されている。ＰＣ２１は、映像信号ケーブル２２により表示装置３１の画像入力端子４３と接続され、ＵＳＢケーブル２３によりＵＳＢ端子４４と接続される。画像入力端子４１及び４３はそれぞれ画像処理ＭＰＵ３３の画像入力ポート３４及び３５に接続され、ＰＣ１１またはＰＣ２１からの映像信号が画像処理ＭＰＵ３３に入力される。
【００１９】
画像処理ＭＰＵ３３は、液晶パネル３２と接続されており、画像入力ポート３４及び３５に入力された映像信号の一方を液晶パネル３２の解像度に適するようスケーリングして液晶パネル３２に出力する。これにより、ＰＣ１１またはＰＣ２１からの映像が表示される。また、画像処理ＭＰＵ３３は、液晶パネル３２の画面上に文字などを表示させるオンスクリーンディスプレイ機能、画面の輝度やコントラスト、表示位置などを調整する機能等も有している。
【００２０】
画像入力ポート３４及び３５はそれぞれ、ＰＣ１１及びＰＣ２１からの映像信号（同期信号）を検出する機能を有する。切替ボタン３８は画像処理ＭＰＵ３３と接続されており、切替ボタン３８が押下されることにより、画像処理ＭＰＵ３３が、画像入力ポート３４と３５を切り替え、ＰＣ１１またはＰＣ２１の任意の映像を液晶パネル３２に表示することができる。
【００２１】
ＵＳＢ端子４２及び４４は切替スイッチ３７と接続されており、切替スイッチ３７はＵＳＢハブ３６と接続されている。ＵＳＢハブ３６はＵＳＢ端子４５及び４６と接続されており、ＵＳＢ端子４５にはキーボード６１が、ＵＳＢ端子４６にはマウス７１が接続されている。切替スイッチ３７は、画像処理ＭＰＵ３３と接続されており、画像処理ＭＰＵ３３からの切替信号３９及び４０により、ＵＳＢハブ３６からの信号をＵＳＢ端子４２に出力するかＵＳＢ端子４４に出力するかを切り替えることができる。なお、画像処理ＭＰＵ３３は図示せぬ切替制御部を含み、切替制御部は、液晶パネル３２に出力する映像信号の選択と、切替信号３９及び４０を用いた切替制御とを行う。
【００２２】
次に、本発明の第１の実施の形態による表示装置３１の動作について図面を参照して説明する。図３（ａ）はいずれかのＰＣから映像信号の入力が開始された場合の表示装置３１の動作を示すフローチャートであり、図３（ｂ）は液晶パネル３２に表示すべく映像信号が選択されているＰＣ（キーボード６１及びマウス７１と接続されているＰＣ）からの映像信号の入力が無くなった場合の表示装置３１の動作を示すフローチャートである。
【００２３】
図２及び図３において、ＰＣ１１及び２１の電源がオフされている状態から使用者がＰＣ１１の電源をオンすると、ＰＣ１１からの映像信号が画像処理ＭＰＵ３３の画像入力ポート３４に入力される（ステップＳ１１）。画像処理ＭＰＵ３３は、画像入力ポート３４に入力された映像信号を液晶パネル３２の解像度にあわせてスケーリングし、ＰＣ１１からの映像信号を液晶パネル３２に表示する（ステップＳ１２）。
【００２４】
また、画像処理ＭＰＵ３３は、切替信号３９をオンし、切替スイッチ３７に出力する。このとき、切替信号４０はオフである。切替スイッチ３７は、切替信号３９がオンしたことにより、ＵＳＢハブ３６からのＵＳＢ信号をＵＳＢ端子４２と接続するよう切替を行う（ステップＳ１３）。これにより、ＵＳＢ端子４５に接続されたキーボード６１とＵＳＢ端子４６に接続されたマウス７１はＰＣ１１と接続される。以上により、使用者はＰＣ１１の操作が可能となる。
【００２５】
次に、使用者がＰＣ２１を使用するためＰＣ２１の電源をオンすると、ＰＣ２１からの映像信号が画像処理ＭＰＵ３３の画像入力ポート３５に入力される（ステップＳ１１）。画像処理ＭＰＵ３３は、画像入力ポート３５に映像信号が入力されたことを検出すると、画像入力ポート３４に入力されているＰＣ１１からの映像信号の液晶パネル３２への出力を停止し、画像入力ポート３５に入力された映像信号を液晶パネル３２の解像度にあわせてスケーリングし、ＰＣ２１からの映像信号を液晶パネル３２に表示する（ステップＳ１２）。
【００２６】
また、画像処理ＭＰＵ３３は、切替信号３９をオフし、切替信号４０をオンする。切替スイッチ３７は、切替信号４０がオンしたことにより、ＵＳＢハブ３６からのＵＳＢ信号をＵＳＢ端子４４と接続するよう切替を行う（ステップＳ１３）。これにより、ＵＳＢ端子４５に接続されたキーボード６１とＵＳＢ端子４６に接続されたマウス７１はＰＣ２１と接続される。以上により、使用者はＰＣ２１の操作が可能となる。
【００２７】
次に、ＰＣ２１の使用が終了し、使用者がＰＣ２１の電源をオフすると、ＰＣ２１からの映像信号はオフする（ステップＳ２１）。画像入力ポート３５は映像信号の入力がなくなったことを検出し、画像処理ＭＰＵ３３は、画像入力ポート３４に入力されているＰＣ１１からの映像信号を液晶パネル３２に表示する（ステップＳ２２及びＳ２３）。
【００２８】
また、画像処理ＭＰＵ３３は、切替信号３９をオン、切替信号４０をオフする。切替スイッチ３７は、切替信号３９がオンしたことにより、ＵＳＢハブ３６からのＵＳＢ信号をＵＳＢ端子４２と接続するよう切替を行う（ステップＳ２４）。これにより、ＵＳＢ端子４５に接続されたキーボード６１とＵＳＢ端子４６に接続されたマウス７１はＰＣ１１と接続される。以上により、使用者はＰＣ１１の操作が可能となる。
【００２９】
次に、ＰＣ１１の使用が終了し、使用者がＰＣ１１の電源をオフすると、ＰＣ１１からの映像信号はオフする（ステップＳ２１）。画像入力ポート３４は映像信号の入力がなくなったことを検出し、画像処理ＭＰＵ３３は液晶パネル３２への出力をオフする（ステップＳ２２及びＳ２５）。また、画像処理ＭＰＵ３３は、切替信号３９及び４０をオフする。切替スイッチ３７は、切替信号３９及び４０がオフしたことにより、ＵＳＢハブ３６からのＵＳＢ信号をＵＳＢ端子４２及び４４どちらとも接続しない中立の位置に切替を行う（ステップＳ２６）。
【００３０】
使用者が切替ボタン３８をオンすると、画像処理ＭＰＵ３３は、画像入力ポート３４に映像信号が検出された場合は、その映像信号を液晶パネル３２に表示し、切替信号３９をオン、切替信号４０をオフする。切替スイッチ３７は、切替信号３９がオンしたことにより、ＵＳＢハブ３６からのＵＳＢ信号をＵＳＢ端子４２と接続するよう切替を行う。これにより、ＵＳＢ端子４５に接続されたキーボード６１とＵＳＢ端子４６に接続されたマウス７１はＰＣ１１と接続される。以上により、使用者はＰＣ１１の操作を選択することも可能となる。
【００３１】
また、使用者が切替ボタン３８をオフすると、画像処理ＭＰＵ３３は、画像入力ポート３５に映像信号が検出された場合は、その映像信号を液晶パネル３２に表示し、切替信号３９をオフ、切替信号４０をオンする。切替スイッチ３７は、切替信号４０がオンしたことにより、ＵＳＢハブ３６からのＵＳＢ信号をＵＳＢ端子４４と接続するよう切替を行う。これにより、ＵＳＢ端子４５に接続されたキーボード６１とＵＳＢ端子４６に接続されたマウス７１はＰＣ２１と接続される。以上により、使用者はＰＣ２１の操作を選択することも可能となる。
【００３２】
以上説明したように、本発明の第１の実施の形態では、画像処理ＭＰＵ３３は、複数のＰＣからの映像信号の入力を監視して、複数のＰＣの中の一台と周辺機器とを選択的に接続するようにしているので、複数のＰＣと周辺機器との接続を自動で切替えることができる。
【００３３】
また、本発明の第１の実施の形態では、複数のＰＣのうち表示部に映像が表示されているＰＣへ周辺機器の接続が自動で切替えられるので、使用者は周辺機器がどのＰＣに接続されているか意識することなく使用することができる。また、切替ボタン３８を用いて使用者が操作するＰＣを任意に選択することも可能である。
【００３４】
次に、本発明の第２の実施の形態について図面を参照して説明する。図４は本発明の第２の実施の形態による表示装置の構成を示す図である。図４に示す本発明の第２の実施の形態による表示装置３１は、図２の構成に加えて、画像入力端子８４と、ＵＳＢ端子８５及び８７とをさらに含む。また、画像処理ＭＰＵ３３には画像入力ポート８８が追加されている。また、ＰＣ８１は、映像信号ケーブル８２により表示装置３１の画像入力端子８４と接続され、ＵＳＢケーブル８３によりＵＳＢ端子８５と接続されている。ＵＳＢ端子８７には周辺機器の一つとしてプリンタ９１が接続されている。
【００３５】
図５（ａ）はいずれかのＰＣから映像信号の入力が開始された場合の本発明の第２の実施の形態による表示装置３１の動作を示すフローチャートであり、図５（ｂ）は液晶パネル３２に表示すべく映像信号が選択されているＰＣ（キーボード６１、マウス７１及びプリンタ９１と接続されているＰＣ）からの映像信号の入力が無くなった場合の本発明の第２の実施の形態による表示装置３１の動作を示すフローチャートである。
【００３６】
図４及び図５において、ＰＣ１１，２１及び８１の電源がオフされている状態から使用者がＰＣ１１の電源をオンすると、画像処理ＭＰＵ３３は、画像入力ポート３４に映像信号が入力されたことを検出する（ステップＳ３１）。そして、画像処理ＭＰＵ３３は、ＰＣ１１からの映像信号を液晶パネル３２に表示し（ステップＳ３２）、切替信号３９をオン、切替信号４０をオフ、切替信号８６をオフする（ステップＳ３３）。
【００３７】
切替スイッチ３７は、切替信号３９がオンしたことにより、ＵＳＢハブ３６からのＵＳＢ信号をＵＳＢ端子４２と接続するよう切替を行う。これにより、ＵＳＢ端子４５に接続されたキーボード６１とＵＳＢ端子４６に接続されたマウス７１及びＵＳＢ端子８７に接続されたプリンタ９１はＰＣ１１と接続される。以上により、使用者はＰＣ１１の操作及びプリンタ９１への印字が可能となる。
【００３８】
そして、画像処理ＭＰＵ３３は、内部にある図示せぬメモリに、図６に示すように選択された画像入力ポートと切替信号の状態を「現在の状態」として記憶しておく（ステップＳ３４）。
【００３９】
次に、使用者がＰＣ２１の電源をオンすると、画像処理ＭＰＵ３３は、画像入力ポート３５に映像信号が入力されたことを検出する（ステップＳ３１）。そして、画像処理ＭＰＵ３３は、ＰＣ２１からの映像信号を液晶パネル３２に表示し（ステップＳ３２）、切替信号３９をオフ、切替信号４０をオン、切替信号８６をオフする（ステップＳ３３）。
【００４０】
切替スイッチ３７は、切替信号４０がオンしたことにより、ＵＳＢハブ３６からのＵＳＢ信号をＵＳＢ端子４４と接続するよう切替を行う。これにより、ＵＳＢ端子４５に接続されたキーボード６１とＵＳＢ端子４６に接続されたマウス７１及びＵＳＢ端子８７に接続されたプリンタ９１はＰＣ２１と接続される。以上により、使用者はＰＣ２１の操作及びプリンタ９１への印字が可能となる。
【００４１】
そして、画像処理ＭＰＵ３３は、内部にあるメモリの内容を図６から図７へと更新する（ステップＳ３４）。すなわち、画像処理ＭＰＵ３３は、内部にあるメモリに、図７に示すようにＰＣ１１が操作されていた状態を「切替前の状態１」へ記憶し、ＰＣ２１へ切替後の状態を「現在の状態」として記憶しておく。
【００４２】
次に、使用者がＰＣ８１の電源をオンすると、画像処理ＭＰＵ３３は、画像入力ポート８８に映像信号が入力されたことを検出する（ステップＳ３１）。そして、画像処理ＭＰＵ３３は、ＰＣ８１からの映像信号を液晶パネル３２に表示し（ステップＳ３２）、切替信号３９をオフ、切替信号４０をオフ、切替信号８６をオンする（ステップＳ３３）。
【００４３】
切替スイッチ３７は、切替信号８６がオンしたことにより、ＵＳＢハブ３６からのＵＳＢ信号をＵＳＢ端子８５と接続するよう切替を行う。これにより、ＵＳＢ端子４５に接続されたキーボード６１とＵＳＢ端子４６に接続されたマウス７１及びＵＳＢ端子８７に接続されたプリンタ９１はＰＣ８１と接続される。以上により、使用者はＰＣ８１の操作及びプリンタ９１への印字が可能となる。
【００４４】
そして、画像処理ＭＰＵ３３は、内部にあるメモリの内容を図７から図８へと更新する（ステップＳ３４）。すなわち、画像処理ＭＰＵ３３は、内部にあるメモリに、図８に示すようにＰＣ１１が操作されていた状態を「切替前の状態２」へ記憶し、ＰＣ２１が操作されていた状態を「切替前の状態１」へ記憶し、ＰＣ８１へ切替後の状態を「現在の状態」として記憶しておく。
【００４５】
次に、ＰＣ８１の使用が終了し、使用者がＰＣ８１の電源をオフすると、ＰＣ８１からの映像信号はオフするため、画像入力ポート８８は映像信号の入力がなくなったことを検出する（ステップＳ４１）。ここで、ＰＣ１１及び２１の電源はオンされており、画像入力ポート３４及び３５は、ＰＣ１１及びＰＣ２１からの映像信号を検出している（ステップＳ４２）。そこで、画像処理ＭＰＵ３３は図８に示す内部メモリの「切替前の状態１」を読み出し、画像入力ポート３５を選択してＰＣ２１からの映像信号を液晶パネル３２に表示し（ステップＳ４３）、切替信号３９をオフ、切替信号４０をオン、切替信号８６をオフする（ステップＳ４４）。
【００４６】
切替スイッチ３７は、切替信号４０がオンしたことにより、ＵＳＢハブ３６からのＵＳＢ信号をＵＳＢ端子４４と接続するよう切替を行う。これにより、ＵＳＢ端子４５に接続されたキーボード６１とＵＳＢ端子４６に接続されたマウス７１及びＵＳＢ端子８７に接続されたプリンタ９１はＰＣ２１と接続される。以上により、使用者はＰＣ２１の操作及びプリンタ９１への印字が可能となる。
【００４７】
そして、画像処理ＭＰＵ３３は、内部にあるメモリの内容を図８から図７へと更新する（ステップＳ４５）。すなわち、画像処理ＭＰＵ３３は、内部にあるメモリに、図７に示すようにＰＣ２１へ切替後の状態を「現在の状態」へ記憶し、図８における「切替前の状態２」の情報（ＰＣ１１が操作されていた状態）を「切替前の状態１」へ記憶しておく。「切替前の状態２」の情報はクリアする。
【００４８】
次に、ＰＣ２１の使用が終了し、使用者がＰＣ２１の電源をオフすると、ＰＣ２１からの映像信号はオフするため、画像入力ポート３５は映像信号の入力がなくなったことを検出する（ステップＳ４１）。ここで、ＰＣ１１の電源はオンされており、画像入力ポート３４はＰＣ１１からの映像信号を検出している（ステップＳ４２）。そこで、画像処理ＭＰＵ３３は、図７に示す内部メモリの「切替前の状態１」を読み出し、画像入力ポート３４に入力されているＰＣ１１からの映像信号を液晶パネル３２に表示し（ステップＳ４３）、切替信号３９をオン、切替信号４０をオフ、切替信号８６をオフする（ステップＳ４４）。
【００４９】
切替スイッチ３７は、切替信号３９がオンしたことにより、ＵＳＢハブ３６からのＵＳＢ信号をＵＳＢ端子４２と接続するよう切替を行う。これにより、ＵＳＢ端子４５に接続されたキーボード６１とＵＳＢ端子４６に接続されたマウス７１及びＵＳＢ端子８７に接続されたプリンタ９１はＰＣ１１と接続される。以上により、使用者はＰＣ１１の操作及びプリンタ９１への印字が可能となる。なお、ステップＳ４２において、映像信号の入力はＰＣ１１のみからであるので、この場合は画像処理ＭＰＵ３３は内部メモリを参照することなく、ＰＣ１１からの映像信号の選択と、ＰＣ１１と周辺機器６１，７１及び９１との接続とを行うことも可能である。
【００５０】
そして、画像処理ＭＰＵ３３は、内部にあるメモリの内容を図７から図６へと更新する（ステップＳ４５）。すなわち、画像処理ＭＰＵ３３は、内部にあるメモリに、図６に示すようにＰＣ１１へ切替後の状態を「現在の状態」へ記憶し、「切替前の状態１」の情報はクリアする。
【００５１】
次に、ＰＣ１１の使用が終了し、使用者がＰＣ１１の電源をオフすると、ＰＣ１１からの映像信号はオフするため、画像入力ポート３４は映像信号の入力がなくなったことを検出する（ステップＳ４１）。いずれのＰＣからも映像信号の入力はないので（ステップＳ４２）、画像処理ＭＰＵ３３は、液晶パネル３２への出力をオフし（ステップＳ４６）、切替信号３９，４０及び８６をオフする（ステップＳ４７）。
【００５２】
切替スイッチ３７は、切替信号３９，４０及び８６がオフしたことにより、ＵＳＢハブ３６からのＵＳＢ信号をＵＳＢ端子４２，４４及び８５のどれとも接続しない中立の位置に切替を行う。そして、画像処理ＭＰＵ３３は、内部にあるメモリの内容を図６における「現在の状態」の情報をクリアするよう更新する（ステップＳ４８）。
【００５３】
なお、映像信号を出力しているが当該映像信号が選択されていないＰＣ（映像信号を出力しているがキーボード６１、マウス７１及びプリンタ９１と接続されていないＰＣ）からの映像信号の入力が無くなった場合、画像処理ＭＰＵ３３は切替制御は行わないが内部メモリの更新は行う。例えば、ＰＣ１１，２１及び８１の順に電源がオンされた状態からＰＣ２１の電源がオフされる場合、画像処理ＭＰＵ３３は、図８における「切替前の状態１」の情報をクリアし、図８における「切替前の状態２」の情報を「切替前の状態１」として記憶する。
【００５４】
使用者が切替ボタン３８を押下するごとに、画像処理ＭＰＵ３３は、画像入力ポート３４を選択、切替信号３９をオン、切替信号４０をオフ及び切替信号８６をオフする処理、画像入力ポート３５を選択、切替信号３９をオフ、切替信号４０をオン及び切替信号８６をオフする処理、画像入力ポート８８を選択、切替信号３９をオフ、切替信号４０をオフ及び切替信号８６をオンする処理を順次行う。これにより、使用者はＰＣ１１，２１及び８１の操作を任意に選択することも可能となる。
【００５５】
以上説明したように、本発明の第２の実施の形態では、画像処理ＭＰＵ３３は、複数のＰＣからの映像信号の入力を監視して、複数のＰＣの中の一台と周辺機器とを選択的に接続するようにしているので、複数のＰＣと周辺機器との接続を自動で切替えることができる。
【００５６】
また、本発明の第２の実施の形態では、複数のＰＣのうち表示部に映像が表示されているＰＣへ周辺機器の接続が自動で切替えられるので、使用者は周辺機器がどのＰＣに接続されているか意識することなく使用することができる。また、切替ボタン３８を用いて使用者が操作するＰＣを任意に選択することも可能である。
【００５７】
また、本発明の第２の実施の形態では、画像処理ＭＰＵ３３は、選択動作の履歴（切替順番）をメモリに記憶し、周辺機器と接続されているＰＣからの映像信号の入力が断となると、当該メモリを参照して周辺機器と接続するＰＣを選択するようにしているので、表示装置３１に接続されるＰＣが３台以上であっても複数のＰＣと周辺機器との接続を自動で切替えることができる。
【００５８】
なお、図３及び図５に示した各フローチャートに従った表示装置の処理動作は、該装置において、予めＲＯＭ等の記憶媒体に格納されたプログラムを、ＣＰＵ（制御部）となるコンピュータに読み取らせて実行せしめることにより、実現できることは勿論である。
【符号の説明】
【００５９】
１１，２１，８１    ＰＣ
１２，２２，８２    映像信号ケーブル
１３，２３，８３    ＵＳＢケーブル
３１    表示装置
３２    液晶パネル
３３    画像処理ＭＰＵ
３４，３５，８８    画像入力ポート
３６    ＵＳＢハブ
３７    切替スイッチ
３８    切替ボタン
４１，４３，８４    画像入力端子
４２，４４，８５    ＵＳＢ端子
４５，４６，８７    ＵＳＢ端子
６１    キーボード
７１    マウス
９１    プリンタ
１００    切替装置
１０１    切替制御部
【図１】
2011100231.tif 000003
【図２】
2011100231.tif 000004
【図３】
2011100231.tif 000005
【図４】
2011100231.tif 000006
【図５】
2011100231.tif 000007
【図６】
2011100231.tif 000008
【図７】
2011100231.tif 000009
【図８】
2011100231.tif 000010